(57)【要約】  空気圧を排出することが可能なパッケージ（１００）は、収納部（１９０）を形成するように、複数のシール（１１０ａ，１１０ｂ，１１０ｃ，１３０）によって接合された表シートと裏シート；及び、収納部（１９０）の内部空気圧を外部の大気圧に連通させるために、シールのうちの少なくとも１つの中にシートによって画成されて、所定距離で空気路（１４０）が相互に離間するように反復的に配置された複数の中空の空気路（１４０）であって、各空気路は、外側開口（１４７）及び内側開口（１４６）を有し、内側開口は、その空気路の片側の側縁に隣接して、外側開口（１４７）から十分にオフセットした位置に配置されており、両端で、それぞれ収納部（１９０）及び外部環境（１９５）に連通している空気路；を備え、少なくとも１つの空気路を画成するシールの内面は、その内面の静電荷の発生及び／又は蓄積を十分に低減させる表面プロファイル（１４８）を有する。【選択図】図１
2016534946.tif 000002
【特許請求の範囲】
【請求項１】
空気圧を排出することが可能なパッケージ（１００）であって、
収納部（１９０）を形成するように、複数のシール（１１０ａ，１１０ｂ，１１０ｃ，１３０）によって接合された表シートと裏シート；及び、
前記収納部（１９０）の内部空気圧を外部の大気圧に連通させるために、前記シールのうちの少なくとも１つの中に前記シートによって画成されて、所定距離で空気路（１４０）が相互に離間するように反復的に配置された複数の中空の空気路（１４０）であって、各空気路は、外側開口（１４７）及び内側開口（１４６）を有し、前記内側開口は、該空気路の片側の側縁に隣接して、前記外側開口（１４７）から実質的にオフセットした位置に配置されており、両端で、それぞれ前記収納部（１９０）及び外部環境（１９５）に連通している空気路；を備え、
少なくとも１つの空気路を画成する前記シールの内面は、該内面の静電荷の発生及び／又は蓄積を実質的に低減させる表面プロファイル（１４８）を有する、パッケージ。
【請求項２】
前記内側開口（１４６）は、前記外側開口（１４７）よりも小さくない幅を有する、請求項１に記載のパッケージ（１００）。
【請求項３】
前記内側開口（１４６）及び前記外側開口（１４７）は、前記空気路（１４０）の幅よりも小さい、請求項１又は２に記載のパッケージ（１００）。
【請求項４】
前記表面プロファイル（１４８）は、前記空気路（１４０）を画成する前記シール（１３０）の内面に凹凸を与えるものである、請求項１又は２に記載のパッケージ（１００）。
【請求項５】
前記表面プロファイル（１４８）は、前記表シートと前記裏シートとの間に空気層を捕捉するように形成される、請求項１又は２に記載のパッケージ（１００）。
【請求項６】
前記表面プロファイルは、マイクロスケールの幾何学的形状の反復突起である、請求項１又は２に記載のパッケージ（１００）。
【請求項７】
前記空気路（１４０）を有する前記シール（１３０）は、当該パッケージ（１００）の底を形成している、請求項１又は２に記載のパッケージ（１００）。
【請求項８】
前記空気路（１４０）を有する前記シール（１３０）は、中心の貫通孔（１８１）を取り囲む円形構成（１８０）を形成しており、前記貫通孔（１８１）は、外部の大気圧と連通している、請求項１に記載のパッケージ（１００）。
【請求項９】
前記表シート及び前記裏シートは、可撓性プラスチック材料で構成されている、請求項１又は２に記載のパッケージ（１００）。
【請求項１０】
前記表シートと前記裏シートを接合した当該パッケージ上に、前記空気路（１４０）を有する前記シール（１３０）に隣接して配置された封止ストリップ（１６０）をさらに備え、該封止ストリップは、前記空気路（１４０）を有する前記シール（１３０）に関して、より前記収納部（１９０）から離れた位置にあって、該封止ストリップ（１６０）と前記シール（１３０）との間に中空通路（１６５）が画成されており、該封止ストリップ（１６０）上に配置された少なくとも１つの間隙（１６６）によって、前記中空通路（１６５）を外部の大気圧に連通させている、請求項１又は２に記載のパッケージ（１００）。
【発明の詳細な説明】
【技術分野】
【０００１】
本発明は、限定するものではないが、好ましくは、継続的にガスを発生する内容物を保存するために使用される、パッケージに関するものである。開示されるパッケージは、パッケージ内に閉じ込められた空気圧を、空気抜きシール上に形成された空気路を通して解放するための、複数の空気路を有する少なくとも１つのシール、すなわち空気抜きシールを備える。
【背景技術】
【０００２】
特に大量の商品を保存するためのパッケージは、破損することなく、収容した重量に耐えるために、機械的強度が高くなければならない。パッケージは、外部物質による汚染又は損傷から商品を保護するために、好ましくは、空気及び／又は水を通さない材料（例えば、プラスチック）で構成される。保存される商品の中には、（穀物、小麦粉、コーヒー豆、及び他の類似の商品のような）物品が封入されている間に、ガスを自然発生するものがあり、このため、蓄積された空気圧によってパッケージ又は中の内容物が破損しないうちにガスを継続的に放出させるための内蔵機構がパッケージ材に形成される。本発明は、加熱過程でのみ圧抜きが必要となる電子レンジ加熱で使用される食品包装とは異なり、そのようなパッケージで使用される圧抜き機構は、通常、パッケージ材の内部空気圧の急激な上昇で破れ得る、より弱いシールであるのに対し、ガス発生商品のパッケージ材に使用されるガス抜き機構は、周囲の大気圧と内部圧力を継続的に均等化するものでなければならない。従って、商品パッケージ材のガス抜き機構は、内部と周囲の大気圧の双方を常に均等化するように設計される。常に空気圧連通を維持しつつ、水蒸気又は虫などの望ましくない外部環境物質が内容物に侵入及び／又は寄生することがないようにするための追加機能を有するようなガス抜き機構を備えることが重要であって、そのようなことが生じるパッケージは、商品の腐敗又は商品に対する有害作用を引き起こす可能性があり、これは、従来の方法ではパッケージ材の表面に直径１ｍｍ〜１．５ｍｍの孔を穿孔／穿刺していることから、包装産業で直面する共通の課題である。上記の基準を満たすために、ガス抜き機構を備えたシールの形成において様々な構成が適用されている。例えば、特許文献１は、袋の一部として形成された通気ラインを備えた包装袋について記載しており、これによれば、内容物の漏出を防ぐバリアとして機能するのと同時にガス抜きのための微小間隙を提供するためのフィルム層が、通気ラインに組み込まれている。同様の技術は、他の特許文献２に記載されており、感圧性接着剤を用いて、接着剤が耐えることができるレベルを袋の内部圧力が超えるまでは通気孔を閉じ、内部空気圧が周囲の大気圧と等しくなると、感圧性接着剤によって通気孔を再び密封する。
【０００３】
パックされた製品を効率的に保管又は輸送するために、一般的に、パッケージは相互に積み重ねられる。積み重ね配置は、一般的に、保管又は輸送の際にスペースを効率的に利用するために用いられる。この構成では、上に重ねられるパッケージによって、必然的に、それらの下のパッケージの圧力は急激に上昇する。これは、一番下のパッケージの内部空気圧が迅速かつ適時に解放されないと、一番下のパッケージが破裂及び／又は破損を受けることにつながるおそれがある。このことに鑑みて、特許文献１及び特許文献２の上記のパッケージ材は、望ましい結果を得るには不十分であると考えられる。さらに改善されたパッケージ材は、特許文献３に記載されており、これは、不規則に途切れた複数の平行な封止ストリップを形成して、袋内の上昇した圧力を解放するための通路を提供する迷路状構造を構築することにより、その問題を克服しようとするものである。ガス抜き機構の他の構成は、特許文献４及び特許文献５に記載されており、形成されたシールは、内部圧力を周囲圧力と均等にするために、袋の内と外の双方を連通させるいくつかの相互連結された通路を有している。ところが、上記のパッケージは、プラスチックシートの性質とパッケージに形成されたガス抜き機構によって、ある状況下では、所望の目的を達成できないことがある。特に、（抜ける空気によって）動くプラスチックシート間の摩擦、又は空気抜き通路におけるガスの移動によって、連通路内部の静電荷が増加する傾向がある。このように通路に沿って静電荷が存在することによって、その結果、通路を画成するプラスチックシートの表面が静電付着によって互いに付着することになる。そして、これによって、空気抜き通路が部分的又は完全に封止されることにより、連通路の目的が満たされなくなる。部分的な閉塞であっても、その結果、特に保管又は輸送する際の積み重ね過程で、パッケージの内部圧力の急激な上昇が生じることがあり、圧力均等化の際の空気抜き速度の速度低下によるパッケージの破裂及び／又は破損につながる可能性がある。
【先行技術文献】
【特許文献】
【０００４】
【特許文献１】米国特許第５９０２０４６号明細書
【特許文献２】米国特許第７０９０３９８号明細書
【特許文献３】米国特許第６１７０９８５号明細書
【特許文献４】欧州特許出願公開第１０５５６０８号明細書
【特許文献５】米国特許第４８３４５５４号明細書
【発明の概要】
【発明が解決しようとする課題】
【０００５】
本発明は、限定するものではないが、広くは、ガスを自然発生する商品を保存するために使用するのに適した、パッケージを提供することを目的とする。開示される発明は、パッケージの内部圧力を周囲の大気圧と均等にすることを可能とするガス抜き機構を備えている。
【０００６】
本発明の他の目的は、水、水蒸気、及び／又は虫の侵入を回避しつつ、パッケージ内に保存される内容物から発生するガスを排出することが可能な、独特なシール構成を用いて構成されたパッケージを開示することである。
【０００７】
本発明のさらなる目的は、ガス抜き機構の障害につながり得る静電荷の蓄積を十分に低減するために特別に施された表面プロファイルを有する空気抜き通路が組み込まれたガス抜きパッケージを提供することである。
【０００８】
本発明の他の目的は、コクゾウムシ属のあらゆる形態のゾウムシのような、よく見られる虫が、オフセット開口又は複数の空気通路を通して、パッケージ内に収容された商品の中に侵入することを防ぐことである。本発明における空気通路の迷路状構造は、上記の虫を混乱させることで、パッケージの内容物に到達させないように機能する。
【課題を解決するための手段】
【０００９】
上記の目的の少なくとも１つは、全体的又は部分的に、本発明によって達成され、本発明の実施形態の１つは、空気圧を排出することが可能なパッケージであって、これは、収納部を形成するように、複数のシールによって接合された表シートと裏シート；及び、収納部の内部空気圧を外部の大気圧に連通させるために、シールのうちの少なくとも１つの中にシートによって画成されて、所定距離で空気路が相互に離間するように反復的に配置された複数の中空の空気路であって、各空気路は、外側開口及び内側開口を有し、内側開口は、その空気路の片側の側縁に隣接して、外側開口から十分にオフセットした位置に配置されており、両端で、それぞれ収納部及び外部環境に連通している空気路；を備え、少なくとも１つの空気路を画成するシールの内面は、静電荷の発生及び／又は蓄積を十分に低減させる表面プロファイルを有し、これにより静電付着を軽減する。よって、内側開口及び外側開口は、空気路の幅よりも小さい。
【００１０】
他の実施形態では、プロファイルは、空気路を画成するシールの内面に凹凸を与えるものである。より好ましくは、プロファイルは、マイクロスケールの幾何学的形状の反復突起である。
【００１１】
さらに別の実施形態では、開示されるパッケージは、表シートと裏シートを接合したパッケージ上に配置された封止ストリップをさらに備え、これは、空気路を有するシールに関して、より収納部から離れた位置で、空気路を有するシールに隣接しており、この封止ストリップと、空気路を有するシールとの間に、中空通路が画成されており、このような中空通路又は間隙によって、内部空気圧を周囲の大気圧と均等にすることが中空通路を介して可能となる。
【図面の簡単な説明】
【００１２】
【図１】図１は、封止ストリップを備えていない、開示されるパッケージの一実施形態を示している。
【図２】図２は、通気シールを封止ストリップと共に備えた、開示されるパッケージの一実施形態を示している。
【図３】図３は、円形構成に配置された封止ブロックを有する、通気シールの他の構成を示している。
【図４】図４は、一実施形態の空気路を有するシールの断面図を示している。
【図５】図５は、空気路における静電荷の発生及び／又は蓄積を抑えるために、開示されるパッケージで用いることが可能な様々に異なる表面プロファイルを示している。
【発明を実施するための形態】
【００１３】
本発明の最も好ましい実施形態について、図面を参照して以下で説明するが、図面では、同様の参照番号は、同等又は機能的に類似した要素を示している。具体的な構成及び配置について解説しているものの、理解されるべきことは、これは単なる例示目的のものにすぎないということである。本発明の趣旨及び範囲から逸脱することなく、他の構成及び配置を用いることができることは、当業者であれば理解できるであろう。
【００１４】
「外側開口」又は「内側開口」という表現は、特段の断りがない限り、パッケージ材の開口自体の位置ではなく、開示されるパッケージにおいて外部の大気圧とパッケージ材の収納部の内部空気圧との間を連通させる空気路の開口をそれぞれ指すということに留意することが重要である。
【００１５】
本発明の一実施形態は、図１に示すように、空気圧を排出することが可能なパッケージ（１００）であって、これは、収納部（１９０）を形成するように、複数のシール（１１０ａ，１１０ｂ，１１０ｃ，１３０）によって接合された表シートと裏シート；及び、収納部（１９０）の内部空気圧を外部の大気圧に連通させるために、シールのうちの少なくとも１つの中にシートによって画成されて、所定距離で空気路（１４０）が相互に離間するように反復的に配置された複数の中空の空気路（１４０）であって、各空気路は、外側開口（１４７）及び内側開口（１４６）を有し、内側開口は、その空気路の片側の側縁に隣接して、外側開口（１４７）から十分にオフセットした位置に配置されており、両端で、それぞれ収納部（１９０）及び外部環境（１９５）に連通している空気路；を備え、少なくとも１つの空気路を画成するシールの内面は、その内面の静電荷の発生及び／又は蓄積を十分に低減させる表面プロファイル（１４８）を有する。好ましくは、開示されるパッケージ（１００）の表シート及び裏シートは、可撓性プラスチック材料で製造される。可撓性プラスチック材料は、ポリエチレン、ポリプロピレン、ポリエステル、ポリアミド、若しくはそれらの誘導体のポリマ又はコポリマとすることができる。また、パッケージ（１００）は、一部の実施形態において、異なるポリマで構成された表シートと裏シートを備えることができる。
【００１６】
上記の場合、パッケージの縁辺の辺りに配置されて、表シートと裏シートの双方を接合しているシール（１１０ａ，１１０ｂ，１１０ｃ，１３０）は、共同で、開示されるパッケージ（１００）の収納部（１９０）のサイズを規定している。好ましくは、本発明において空気路を有するシールは、通気シール（１３０）と呼ばれ、開示される発明では、１つよりも多くの通気シール（１３０）とすることができる。その縁辺のうちの少なくとも１つである好ましくは上辺に、商品を入れるためにアクセスでき、その後、すべての縁辺を封止することで、最終的に完全なパッケージ（１００）を形成する。通気シール（１３０）において利用できる空気路（１４０）が貫通していることを除いて、本発明では、好ましくは、残りのシール（１１０ａ，１１０ｂ，１１０ｃ）は、空気を透過させないか、又は気密であるように構成されている。この機能によって、収納部内のガス又は空気が、指定された空気路（１４０）を通してしか排出されないことが確保される。図１に示すように、通気シール（１３０）上において、２つの離間した空気路（１４０）の間に、封止ブロック（１３３）が認められる。開示されるパッケージ上のシール（１１０ａ，１１０ｂ，１１０ｃ）及び封止ブロック（１３３）は、ヒートシーリングなどによって形成することができる。開示されるパッケージのシール（１１０ａ，１１０ｂ，１１０ｃ）は、好ましくは、より大量の商品を収容するための最適な容量を有する収納部（１９０）を画成するため、図１に示すように、縁辺から縁辺へと形成される。他の実施形態では、開示されるパッケージ（１００）は、依然として、保存される内容物を十分に保護しつつ、様々な機会に、保存される内容物にユーザがアクセスし易くするために、特に上辺シール（１１０ａ）として、リクローザブルジッパーを有することができる。
【００１７】
表面プロファイル（１４８）は、一部の実施形態において、表シートと裏シートの全体に、特に互いに対向する内面に、施すことができるということに留意することが重要である。表面プロファイル（１４８）は、空気路を画成している表面においてのみ、特別に利用できるようにしてもよい。より好ましい実施形態では、商品を包装する過程及びシールを形成する過程を容易にするため、表面プロファイルは、シールに沿ったパッケージ材（裏シート及び／又は表シート）上にのみ印刷することができる。具体的には、本発明の表面プロファイル（１４８）は、空気路（１４０）を画成するシールの内面に凹凸を与えるか、又は粗さを生成するものである。特に空気路（１４０）を画成する表面に沿って、表シート及び裏シート上に生成された凹凸又は粗さによって、移動する空気と空気路を画成する表面との間の摩擦又は空気路を画成する対向面の間の摩擦による静電荷の発生が十分に低減される。２つの接触する面の間の動き、特に空気とプラスチックのような絶縁物質の間の動きによって、局所的な静電荷の発生につながる摩擦電気効果が生じることが知られている。このような粗さ又は凹凸が存在すれば、静電荷に起因する空気路の部分的又は完全な閉塞に関連して生じる可能性のあるパッケージ材の破裂が略解消されることを、本発明の発明者は発見した。静電荷の発生が減少すれば、空気路（１４０）が自身に蓄積する静電荷は減少する。摩擦するプラスチック面に凹凸を導入することに加えて、本発明で用いる表面プロファイル（１４８）は、さらに、その独特の設計によって、静電荷の発生の低減を助ける。好ましくは、表面プロファイル（１４８）は、図４に示すように、マイクロスケール又はマクロスケールの幾何学的形状の反復突起である。突起は、限定するものではないが、方形、円形、三角形などの形状のものとすることができる。空気路（１４０）を画成する表面上に施されたこれらの突起又はエンボスは、利用できる中空又は凹み領域内に空気層を捕捉する多数の中空のトレイ又はボックスとして機能する。コーヒー豆又は米のような商品は、パッケージ材の中に包装される前に乾燥されるにもかかわらず、徐々に水蒸気を収納部（１９０）内に放出し、その水蒸気は、次第に空気路（１４０）の中に入り込む。開示される発明では、空気路（１４０）を画成する表面間で水蒸気を捕捉して一時的に保持するための中空空隙を有する表面プロファイル（１４８）を採用している。湿気があると、静電荷の発生がなくなることが知られている。従って、本発明のプラスチックシート上に施された表面プロファイル（１４８）は、シート上に凹凸を形成することに加えて、商品から発生した水蒸気を巧妙に取り込むことで、空気路（１４０）における静電耐性を向上させる。
【００１８】
図２を参照して、通気シール（１３０）は、必須ではないが、好ましくは、パッケージ（１００）の底を形成しており、収納部（１９０）内のガス又は空気を、内部に蓄積させて内部空気圧の上昇を発生させることなく、外部環境（１９５）内に放出するための通路を提供する。通気シール（１３０）をパッケージ（１００）の最上部に配置するのとは対照的に、パッケージ（１００）の底部に配置された空気路（１４０）を備えることで、保存される内容物に空気中粒子が入り込むことを回避する。一方、他の実施形態では、空気路（１４０）は、パッケージ（１００）の側縁辺に配置される。より好ましくは、開示されるパッケージ（１００）は、表シートと裏シートを接合したパッケージ上に、空気路（１４０）を有するシール（１３０）に隣接して配置された封止ストリップ（１６０）をさらに備え、これは、空気路（１４０）を有するシール（１３０）に関して、より収納部（１９０）から離れた位置にあって、この封止ストリップ（１６０）とシール（１３０）との間に中空通路（１６５）が画成されており、封止ストリップ（１６０）上に配置された少なくとも１つの間隙（１６６）によって、中空通路（１６５）を外部の大気圧に連通させている。封止ストリップ（１６０）を設けることによって、虫のような外部物質が収納部（１９０）内に侵入することを防ぐための追加バリアを提供する。封止ストリップ（１６０）上にある非封止部又は間隙（１６６）の数は、通気シール（１３０）において利用できる外側開口（１４７）の数よりも、はるかに少ない。具体的には、非封止部又は間隙（１６６）の数は、限定するものではないが、１つ又は２つである。これにより、外部環境への保存内容物の直接暴露が大幅に低減される。
【００１９】
図４に示すように、本発明の通気シール（１３０）は、複数の封止ブロック（１３３）で構成されており、２つの隣接するブロック間に空気路（１４０）を画成している。好ましくは、空気路（１４０）は、２つの隣接するブロックの２つの短辺の間に形成される。上記の説明による場合、本実施形態における空気路（１４０）は、空気路（１４０）に沿って互いにオフセットした位置であって空気路（１４０）の相対する端にそれぞれ配置された外側開口（１４７）と内側開口（１４６）との間で、側方に急拡張されている。また、開示される発明では、さらに、外側開口（１４７）と内側開口（１４６）を、それぞれ、空気路（１４０）を挟む個々の別々の封止ブロック（１３３）からのそれぞれの側縁であって空気路（１４０）の相対する側縁に隣接させて位置付けており、その結果、内側開口（１４６）と外側開口（１４７）は、略対角線角度で互いに対向している。このような構成によって、結果的に、略ジグザグ構造を空気路に適用している。ジグザグ構造によって、本発明における空気路（１４０）の迷路状構造の内部でゾウムシのような虫の移動を妨げて、保存される商品に虫が達しないように維持する。図１及び２に示すように、内側開口（１４６）及び外側開口（１４７）は、空気路（１４０）の幅よりも小さい。開口から直ちに急拡張されていることによって、ほとんどの実施形態において、空気路（１４０）は略Ｚ形構造を採用したものとなるが、ただし必須ではない。特に、急拡張（１４３）を設けることで、毛細管効果による収納部（１９０）への水の侵入を防止する。また、通気シールを特徴とする従来のパッケージ材では、相互連結通路が一般的に認められるのに対し、開示されるパッケージ上に形成された空気路（１４０）は、相互連結通路を備えることなく、互いに独立している。従来のパッケージでは、相互連結通路があることによって、相互連結通路内の利用できる出口を通して空気がパッケージ材の外に移動するのと同時に、侵入する水がパッケージ材の一箇所から別の箇所へと流れる原因となる傾向がある。空気路における外側開口と内側開口の長さは、必須ではないが、略同様であり、本発明のいくつかの実施形態において、外側開口（１４７）及び内側開口（１４６）は、外側通路及び内側通路として認識することができる。
【００２０】
水の侵入にさらに対処するため、一実施形態において、内側開口（１４６）の幅は、好ましくは、外側開口（１４７）の幅よりも大きい。より好ましくは、内側開口（１４６）の幅が外側開口（１４７）よりも短くないことを条件として、内側開口（１４６）は、幅が３〜８ｍｍであり、外側開口（１４７）は、幅が２〜５ｍｍである。開示されるパッケージ材は、外側開口（１４７）に向かってテーパ状の内側開口（１４６）を有し、これにより、幅が徐々に減少する空気路（１４０）の部分において、より大きな圧力を局所的に生成する。空気路（１４０）における、より大きい局所圧力によって、水の侵入に対する、より良好な耐性を得やすくなる。ガスを発生する商品を保存する場合に、内容物から発生する追加的なガスは、空気路（１４０）を通したパッケージ（１００）の外への継続的な移動を開始し、これにより、外部の大気圧又は周囲圧力に対する熱力学的平衡を得る。空気路（１４０）を通って移動するガスの継続的な流れによって、空気路を通した水の侵入が防止される。さらに、空気層を捕捉する突起又はエンボスである表面プロファイルも、空気路（１４０）を通した水の侵入を防ぐのに役立つ。
【００２１】
これとは別に、開示されるパッケージは、同様のガス抜きの目的を達成するために、他の構成を適用した通気シール（１３０）を備えることができる。これらの実施形態では、空気路（１４０）を有するシール（１３０）は、中心の貫通孔（１８１）を取り囲む円形構成（１８０）を形成しており、貫通孔（１８１）は、外部の大気圧と連通している。中心で包囲された貫通孔は、空気路（１４０）を大気圧に接続する点として機能する。このような形態の通気シール（１３０）は、開示されるパッケージの側縁辺を形成するものではなく、パッケージ（１００）の隅角の辺りに配置された単独の空気抜きシールをなすものであるか、又は内部圧力を外部の大気圧に連通させるための側縁辺の一部のみをなすものであり得る。外側開口（１４７）は、このような実施形態の円形シール（１３０）の中心の周りに配置されるのに対し、内側開口（１４６）は、円形シール（１３０）の周囲に配置される。この実施形態では、貫通孔（１８１）によって、外側開口（１４７）を外部の大気圧と連通させることが可能となる。図３に示すように、空気路（１４０）を画成する封止ブロック（１３３）によって、共同で、中心の貫通孔（１８１）を取り囲む円形構成を構築することができ、貫通孔（１８１）は、外部の大気圧と連通している。
【００２２】
本発明が、その目的を達成し、記載した結果及び効果ならびに本来の結果及び効果を得るのによく適したものであることは、当業者であれば容易に理解できるであろう。上記の実施形態は、本発明の範囲を限定するものではない。
【図１】
2016534946.tif 000003
【図２】
2016534946.tif 000004
【図３】
2016534946.tif 000005
【図４】
2016534946.tif 000006
【図５（ａ）】
2016534946.tif 000007
【図５（ｂ）】
2016534946.tif 000008
【図５（ｃ）】
2016534946.tif 000009
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
空気圧を排出することが可能なパッケージ（１００）であって、
収納部（１９０）を形成するように、少なくとも１つのシール（１１０ａ，１１０ｂ，１１０ｃ，１３０）によって接合された表シートと裏シートを備え；前記シールのうちの少なくとも１つの部分（１３０）は、前記収納部（１９０）と外部環境（１９５）との間で圧力交換を可能とするための複数の中空の空気路（１４０）を有し、それぞれ２つの隣接する空気路（１４０）は、互いに独立であるように、封止ブロック（１３３）によって隔離されており；各空気路（１４０）は、略ジグザグ状の通路を形成するように、オフセットして配置された内側開口及び外側開口（１４６，１４７）を有し、各空気路（１４０）は、静電荷を減少させるため、水の侵入に対する耐性を向上させるため、及び虫が前記収納部（１９０）に侵入することを防ぐ迷路状通路を形成するための、表面プロファイル（１４８）が印刷されている、パッケージ。
【請求項２】
前記内側開口（１４６）は、前記外側開口（１４７）よりも小さくない幅を有する、請求項１に記載のパッケージ（１００）。
【請求項３】
前記内側開口（１４６）及び前記外側開口（１４７）は、前記空気路（１４０）の幅よりも小さい、請求項１又は２に記載のパッケージ（１００）。
【請求項４】
前記表面プロファイル（１４８）は、前記空気路（１４０）を画成する前記シール（１３０）の内面に凹凸を与えるものである、請求項１又は２に記載のパッケージ（１００）。
【請求項５】
前記表面プロファイル（１４８）は、前記表シートと前記裏シートとの間に空気層を捕捉するように形成される、請求項１又は２に記載のパッケージ（１００）。
【請求項６】
前記表面プロファイルは、マイクロスケールの幾何学的形状の反復突起である、請求項１又は２に記載のパッケージ（１００）。
【請求項７】
前記空気路（１４０）を有する前記シール（１３０）は、当該パッケージ（１００）の底を形成している、請求項１又は２に記載のパッケージ（１００）。
【請求項８】
前記空気路（１４０）を有する前記シール（１３０）は、中心の貫通孔（１８１）を取り囲む円形構成（１８０）を形成しており、前記貫通孔（１８１）は、外部の大気圧と連通している、請求項１に記載のパッケージ（１００）。
【請求項９】
前記表シート及び前記裏シートは、可撓性プラスチック材料で構成されている、請求項１又は２に記載のパッケージ（１００）。
【請求項１０】
前記表シートと前記裏シートを接合した当該パッケージ上に、前記空気路（１４０）を有する前記シール（１３０）に隣接して配置された封止ストリップ（１６０）をさらに備え、該封止ストリップは、前記空気路（１４０）を有する前記シール（１３０）に関して、より前記収納部（１９０）から離れた位置にあって、該封止ストリップ（１６０）と前記シール（１３０）との間に中空通路（１６５）が画成されており、該封止ストリップ（１６０）上に配置された少なくとも１つの間隙（１６６）によって、前記中空通路（１６５）を外部の大気圧に連通させている、請求項１又は２に記載のパッケージ（１００）。
【国際調査報告】
2016534946.tif 000010
2016534946.tif 000011
2016534946.tif 000012